(57)【特許請求の範囲】
【請求項１】
防護区画に設置された火災感知器を感知器回線に接続して前記防護区画の火災を監視する火災報知設備と、
前記防護区画に配置された閉鎖型のスプリンクラーヘッドと、
前記スプリンクラーヘッドへの消火用水の供給と停止を制御する制御弁と、
前記スプリンクラーヘッドの作動による消火用水の流水を検知した際に直ちにオンする第１流水検知スイッチと流水検知から所定の遅延時間後にオンする第２流水検知スイッチを備えた流水検知装置と、
防護区画に設置された火災感知器及び前記流水検知装置の第２流水検知スイッチを感知器回線に接続して前記防護区画の火災を監視する火災報知設備と、
定常監視状態においては、前記制御弁を開状態として前記スプリンクラーヘッドに消火用水を供給し、前記流水検知装置の第１流水検知スイッチのオンにより流水が検知された際に、前記火災報知設備からの火災信号があれば前記制御弁の開状態を維持し、火災信号がなければ前記制御弁を閉状態として消火用水の供給を停止するスプリンクラー制御盤と、を備えたスプリンクラー消火設備に於いて、
前記流水検知装置の２次側に前記制御弁を接続し、
前記制御弁の２次側の配管から引き出され、排水管に接続された設備総合試験用の第１分岐管と、
前記流水検知装置の流水検出部の２次側で前記制御弁よりも１次側から引き出され、前記排水管に接続された流水検知試験用の第２分岐管と、
前記第１分岐管、第２分岐管及び排水管の配管系に設けられ、設備総合試験時に前記第１分岐管と配水管を連通し前記制御弁の２次側から排水管に消火用水を流し、流水検知試験時には前記第２分岐管と配水管を連通し前記流水検知装置の２次側から排水管に消火用水を流す１又は複数の試験弁を備えた試験弁ユニットと、
を設けたことを特徴とするスプリンクラー消火設備。
【請求項２】
請求項１記載のスプリンクラー消火設備に於いて、前記試験弁ユニットは、前記排水管に設けられた第１試験弁と、前記第２分岐管に設けられた第２試験弁とを備え、設備総合試験時には前記第１試験弁を開いて前記制御弁の２次側から排水管に消火用水を流し、流水検知試験時には前記第１試験弁と第２試験弁を開いて前記流水検知装置の２次側から排水管に消火用水を流すことを特徴とするスプリンクラー消火設備。
【請求項３】
請求項１記載のスプリンクラー消火設備に於いて、前記試験弁ユニットは、前記第１分岐管に設けられた第１試験弁と、前記第２分岐管に設けられた第２試験弁と、前記排水管に設けられた第３試験弁とを備え、設備総合試験時には前記第１試験弁と第３試験弁を開いて前記制御弁の２次側から排水管に消火用水を流し、流水検知試験時には前記第２試験弁と第３試験弁を開いて前記流水検知装置の２次側から排水管に消火用水を流すことを特徴とするスプリンクラー消火設備。
【請求項４】
請求項１記載のスプリンクラー消火設備に於いて、前記試験弁ユニットは、前記第１分岐管を接続する第１切替ポート、前記第２分岐管を接続する第２切替ポート及び前記排水管を接続する共通ポートを有する三方切替弁と、前記三方切替弁の共通ポートと排水管の間に配置された試験弁と備え、設備総合試験時には前記三方切替弁を第１ポートを共通ポートに連通する位置に切替えると共に前記試験弁を開いて前記制御弁の２次側から排水管に消火用水を流し、流水検知試験時には前記三方切替弁を第２ポートを共通ポートに連通する位置に切替えると共に前記試験弁を開いて前記流水検知装置の２次側から排水管に消火用水を流すことを特徴とするスプリンクラー消火設備。
【請求項５】
請求項１乃至４のいずれかに記載のスプリンクラー消火設備に於いて、前記流水検知装置、制御弁、第１分岐管、第２分岐管、排水管及び試験弁ユニットを一体化したことを特徴とするスプリンクラー消火設備。
【請求項６】
スプリンクラーヘッドへの消火用水の供給と停止を制御する制御弁と、前記制御弁の１次側に接続され前記スプリンクラーヘッドの作動による消火用水の流水を検知した際に流水検知スイッチ信号を出力する流水検知装置と、
前記制御弁の２次側の配管から引き出され、排水管に接続された設備総合試験用の第１分岐管と、
前記流水検知装置の流水検出部の２次側で前記制御弁よりも１次側から引き出され前記排水管に接続された流水検知試験用の第２分岐管と、
前記第１分岐管、第２分岐管及び排水管の配管系に設けられ、設備総合試験時に前記第１分岐管と配水管を連通し前記制御弁の２次側から排水管に消火用水を流し、流水検知試験時には前記第２分岐管と配水管を連通し前記流水検知装置の２次側から排水管に消火用水を流す１又は複数の試験弁を備えた試験弁ユニットと、を一体化して設けたことを特徴とする流水検知用アッセンブリィ。
【請求項７】
請求項６記載の流水検知用アッセンブリィに於いて、前記試験弁ユニットは、前記排水管に設けられた第１試験弁と、前記第２分岐管に設けられた第２試験弁とを備え、設備総合試験時には前記第１試験弁を開いて前記制御弁の２次側から排水管に消火用水を流し、流水検知試験時には前記第１試験弁と第２試験弁を開いて前記流水検知装置の２次側から排水管に消火用水を流すことを特徴とする流水検知用アッセンブリィ。
【請求項８】
請求項６記載の流水検知用アッセンブリィに於いて、前記試験弁ユニットは、前記第１分岐管に設けられた第１試験弁と、前記第２分岐管に設けられた第２試験弁と、前記排水管に設けられた第３試験弁とを備え、設備総合試験時には前記第１試験弁と第３試験弁を開いて前記制御弁の２次側から排水管に消火用水を流し、流水検知試験時には前記第２試験弁と第３試験弁を開いて前記流水検知装置の２次側から排水管に消火用水を流すことを特徴とする流水検知用アッセンンブリィ。
【請求項９】
請求項６記載の流水検知用アッセンブリィに於いて、前記試験弁ユニットは、前記第１分岐管を接続する第１切替ポート、前記第２分岐管を接続する第２切替ポート及び前記排水管を接続する共通ポートを有する三方切替弁と、前記三方切替弁の共通ポートと排水管の間に配置された試験弁と備え、設備総合試験時には前記三方切替弁を第１ポートを共通ポートに連通する位置に切替える共に前記試験弁を開いて前記制御弁の２次側から排水管に消火用水を流し、流水検知試験時には前記三方切替弁を第２ポートを共通ポートに連通する位置に切替えると共に前記試験弁を開いて前記流水検知装置の２次側から排水管に消火用水を流すことを特徴とする流水検知用アッセンブリィ。
【発明の詳細な説明】
【０００１】
【発明の属する技術分野】
本発明は、火災発生時にスプリンクラーヘッドから消火用水を放水するスプリンクラー消火設備及び流水検知用アッセンブリィに関し、特に集合住宅の各住戸を一つの防護区画として放水を制御するスプリンクラー消火設備及び流水検知用アッセンブリィに関する。
【０００２】
【従来技術】
従来、スプリンクラーヘッドの誤作動時における水損防止として特開平１０−５３６５号に示されるスプリンクラー消火設備がある。
【０００３】
このようなスプリンクラー消火設備は、分岐管に、スプリンクラーヘッドが作動したときの管内の水流を検出して流水検知信号を送出する流水検知装置と、通常時は開放している制御弁が設けられている。また、各監視区域には火災を検知する火災感知器が設置されている。
【０００４】
このスプリンクラー消火設備に設けているスプリンクラー制御盤は、スプリンクラーヘッドの誤作動時の水損を防止するため、スプリンクラーヘッドが作動して流水検知装置が流水検知信号を出力したときに、火災感知器が非発報の場合は、常時開放している制御弁を閉止制御する。これにより、誤動作したスプリンクラーヘッドからの消火用水の放水を停止することができる。
【０００５】
この場合、一旦、制御弁の閉止制御した後に、火災感知器が発報して火災信号を出力したときは、閉止状態の制御弁を開放制御して消火用水の放水を開始する。これによって誤放水を極力抑えて水損を防ぐことができる。
【０００６】
ところで、スプリンクラー消火設備が共同住宅向けの場合は、流水検知装置に２つの圧力スイッチが接続されている。一つは水損防止用に流水検知装置が作動した際に直ちに流水検知信号を出力するための圧力スイッチであり、他方は火災感知器が接続される感知器回線に接続されて所定時間以上継続して流水検知装置が作動したときに感知器回線を短絡させて火災発報させる遅延機能付きの圧力スイッチである。
【０００７】
またスプリンクラーヘッドを設けた分岐管の末端には、スプリンクラー消火設備の試験を行うため、末端試験弁とオリフィスが設けられている。試験時には、末端試験弁を開放して、オリフィスを介してスプリンクラーヘッド１個分の水流量を流す。すると、流水検知装置が作動して流水検知信号を出力し流水検知信号を出力させる。
【０００８】
このときスプリンクラー制御盤は火災信号を受信していないので、流水検知信号に基づいて制御弁を閉止制御する。これにより分岐管内の水流が停止するために流水検知装置が復旧する。これよって制御弁の閉止制御の試験ができる。
【０００９】
制御弁の閉止後に開放制御試験を行うためには、監視区域内の火災感知器を発報させて火災信号を発生させる。この火災信号により制御弁を開放制御する。これよって流水検知装置が再び動作して流水検知信号を出力するので、正常開放されたことを試験できる。このような総合的な試験を設備総合試験と以降いう。
【００１０】
このようなスプリンクラー消火設備の総合的な試験は、火災感知器の発報試験が絡むため、消火設備のメンテナンス会社は火災報知設備のメンテナンス会社の協力を得て行う必要がある。
【００１１】
しかしながら、消火設備のメンテナンス会社は、スプリンクラー消火設備の設備総合試験以外に、流水検知装置の作動試験を単独で行いたい場合もある。つまり、流水検知装置の２つの圧力スイッチを作動させて流水検知装置の動作が正常かどうか試験したい場合がある。
【００１２】
このような流水検知装置の試験を行う場合には、消火設備のメンテナンス会社が末端試験弁を開放して、流水検知装置が作動するか否か試験を行う。しかし、末端試験弁の開放で遅延機能のない圧力スイッチはすぐに流水検知信号を出力するが、その流水検知信号を受けてスプリンクラー制御盤が制御弁を閉止制御してしまう。このため遅延機能付き圧力スイッチが作動せず、遅延機能付きの圧力スイッチの試験を行うことができない。
【００１３】
この遅延機能付き圧力スイッチを試験するためには、火災感知器を発報させて制御弁を開放させるしかないが、消火設備のメンテナンス会社では権限のない火災報知設備の火災感知器を発報させることができず、また火災感知器を発報させるためは火災報知設備のメンテナンス会社と共同で試験を行う必要があるため、試験が煩わしい問題がある。この試験を以下、流水検知試験という。
【００１４】
本発明は、火災感知器の発報を必要とすることなく設備総合試験および流水検知装置の試験のどちらの試験でも簡単にできるスプリンクラー消火設備及び流水検知用アッセンブリィを提供することを目的とする。
【００１５】
【課題を解決するための手段】
この目的を達成するため本発明は次のように構成する。本発明のスプリンクラー消火設備は、防護区画に配置された閉鎖型のスプリンクラーヘッドと、スプリンクラーヘッドへの消火用水の供給と停止を制御する制御弁と、スプリンクラーヘッドの作動による消火用水の流水を検知した際に直ちにオンする第１流水検知スイッチと流水検知から所定の遅延時間後にオンする第２流水検知スイッチを備えた流水検知装置と、防護区画に設置された火災感知器及び流水検知装置の第２流水検知２スイッチを感知器回線に接続して防護区画の火災を監視する火災報知設備と、定常監視状態においては、制御弁を開状態としてスプリンクラーヘッドに消火用水を供給し、流水検知装置の第１流水検知スイッチのオンにより流水が検知された際に、火災報知設備からの火災信号があれば制御弁の開状態を維持し、火災信号がなければ制御弁を閉状態として消火用水の供給を停止するスプリンクラー制御盤とを備えたスプリンクラー消火設備を対象とする。
【００１６】
このようなスプリンクラー消火設備につき本発明は、流水検知装置の２次側に前記制御弁を接続し、制御弁の２次側の配管から引き出され、排水管に接続された設備総合試験用の第１分岐管と、流水検知装置の流水検出部の２次側で制御弁よりも１次側から引き出され、排水管に接続された流水検知試験用の第２分岐管と、第１分岐管、第２分岐管及び排水管の配管系に設けられ、設備総合試験時に第１分岐管と配水管を連通し制御弁の２次側から排水管に消火用水を流し、流水検知試験時には第２分岐管と配水管を連通し流水検知装置の２次側から排水管に消火用水を流す１又は複数の試験弁を備えた試験弁ユニットと、を設けたことを特徴とする。
【００１７】
このため本発明によれば、試験弁ユニットに設けている試験弁を操作するだけで、設備総合試験と流水検知装置の試験を簡単に行うことができる。特に流水検知装置の試験は、火災感知器を発報させて一端閉止制御された制御弁を開放制御することなく、試験弁の操作で簡単に行うことができる。
【００１８】
ここで試験弁ユニットは、排水管に設けられた第１試験弁と、第２分岐管に設けられた第２試験弁とを備え、設備総合試験時には第１試験弁を開いて制御弁の２次側から排水管に消火用水を流し、流水検知試験時には第１試験弁と第２試験弁を開いて流水検知装置の２次側から排水管に消火用水を流す。
【００１９】
また試験弁ユニットは、第１分岐管に設けられた第１試験弁と、前記第２分岐管に設けられた第２試験弁と、前記排水管に設けられた第３試験弁とを備え、設備総合試験時には前記第１試験弁と第３試験弁を開いて前記制御弁の２次側から排水管に消火用水を流し、流水検知試験時には前記第２試験弁と第３試験弁を開いて前記流水検知装置の２次側から排水管に消火用水を流すことを特徴とするスプリンクラー消火設備。
【００２０】
更に、試験弁ユニットは、第１分岐管を接続する第１切替ポート、第２分岐管を接続する第２切替ポート及び排水管を接続する共通ポートを有する三方切替弁と、三方切替弁の共通ポートと排水管の間に配置された試験弁と備え、設備総合試験時には三方切替弁を第１ポートを共通ポートに連通する位置に切替えると共に試験弁を開いて制御弁の２次側から排水管に消火用水を流し、流水検知装置の試験時には三方切替弁を第２ポートを共通ポートに連通する位置に切替えると共に試験弁を開いて流水検知装置の２次側から排水管に消火用水を流すようにしても良い。
【００２１】
更にまた本発明は、流水検知装置、制御弁、第１分岐管、第２分岐管、排水管及び試験弁ユニットを一体化したことを特徴とする。
【００２２】
本発明は、流水検知用アッセンブリィを提供するものであり、このアッセンブリィは、スプリンクラーヘッドへの消火用水の供給と停止を制御する制御弁と、スプリンクラーヘッドの作動による消火用水の流水を検知して流水検知信号を出力する流水検知装置と、制御弁の２次側と排水管の間に接続された設備総合試験用の第１分岐管と、流水検知装置の２次側と排水管の間に接続された流水検知試験用の第２分岐管と、第１分岐管と第２分岐管の配管系に設けられ、設備総合試験時に制御弁の２次側から排水管に消火用水を流し、流水検知試験時には流水検知装置の２次側から排水管に消火用水を流す試験弁ユニットと、を設けたことを特徴とする。
【００２３】
この流水検知用アッセンブリィにおける試験弁ユニットの詳細は、スプリンクラー消火設備の場合と同じになる。
【００２４】
このように本発明は、試験弁ユニットの試験弁が流水検知装置や制御弁（電動弁）の近くに配置されることで、試験弁の操作と制御弁の動作を同時に確認することができ、更に一人で試験を行うことができ、状況確認が素早くできて試験が行いやすくなる。
【００２５】
また制御弁、流水検知装置及び試験弁ユニットを含む試験関連の設備を近くに配置できることで、非常に設備がコンパクトになり、配管スペース等の狭い場所にも設置することができる。
【００２６】
【発明の実施の形態】
図１は本発明によるスプリンクラー消火設備の説明図である。図１において、この実施形態は本発明のスプリンクラー消火設備を集合住宅に設置した例であり、住戸を1つの防護区画として火災監視を行うため、住戸内には住戸用受信機として機能する火災受信盤1を設け、火災受信盤1から中継器2を介して引き出された感知器回線3に火災感知器4を接続している。
【００２７】
また住戸を1つの防護区画として消火を行うため、住戸内にはスプリンクラーヘッド6が設置されている。スプリンクラーヘッド6は閉鎖型であり、火災による熱を受けた際に内部の金属を溶融させることなどによって自動的に開口して、消火用水を放水する。
【００２８】
スプリンクラーヘッド6は分岐管7を介して給水本管8に接続されており、給水本管8及び分岐管7を介してスプリンクラーヘッド6に消火用水が供給される。給水本管8の一端は建物の地下室などに引き込まれ、消火ポンプ9を介して貯水槽１０に連結されている。
【００２９】
また給水本管8には圧力タンク１１が分岐接続され、圧力タンク１１によって給水本管８を加圧することにより管内圧力を規定値に保持している。圧力タンク１１には圧力スイッチ１１ａが設けられ、スプリンクラーヘッド６が作動して給水本管８の管内圧力が所定値以下に低下したことが圧力スイッチ１１ａで検出されると、ポンプ制御盤１３によりモータ１４を駆動して消火ポンプ９を運転し、貯水槽１０の消火用水を給水本管８に継続して供給する。
【００３０】
消火ポンプ９が運転されている際には、ポンプ運転信号がポンプ制御盤１３から住棟受信盤１５に出力される。また給水本管８の他端は建屋屋上などの高所に設置された高架水槽１２に引き込まれ、高架水槽１２からの消火用水で給水本管８に消火用水を常時充満させている。
【００３１】
給水本管８から分岐される分岐管７には流水検知装置１６と制御弁１７が設けられる。制御弁１７は分岐管７の開閉を行うことにより、スプリンクラーヘッド６に対する消火用水の供給と停止を制御し、スプリンクラー制御盤５の制御によって駆動される電動弁で構成されている。
【００３２】
この制御弁１７は定常監視状態において常に開放状態に維持されている。このため、定常監視状態においては消火用水は制御弁１７を介してスプリンクラーヘッド６に供給されており、湿式スプリンクラー消火設備と同じ加圧消火用水の供給状態となっている。
【００３３】
流水検知装置１６はスプリンクラーヘッド６が火災による熱を受けて作動したときの消火用水の放水によって発生する流水で弁を開いて、遅延機能を持たない第１流水検知スイッチ１６ａをオンし、流水検知信号Ｅａをスプリンクラー制御盤５に出力する。
【００３４】
また流水検知装置１６には、消火用水の放水によって発生する流水で弁を開いて、流水検知が行われてから機械的な遅延機構により一定の遅延時間後にオンする遅延機能付きの第２流水検知スイッチ１６ｂを設けている。この遅延機能付きの第２流水検知スイッチ１６ｂは、中継器２を介して火災受信盤１から引き出された感知器回線３に接続されており、流水検知により火災信号を火災受信盤１に出力する。なお、感知器回線３の終端にはスプリンクラー制御盤５内で終端抵抗Ｒが接続されている。
【００３５】
このように分岐管７に配置した流水検知装置１６と制御弁１７に対しては、設備総合試験及び流水検知試験をそれぞれ行うため、第１分岐管１８ａ、第２分岐管１８ｂ、排水管１８ｃ、第１試験弁１９ａ、第２試験弁１９ｂ及びオリフィス２１が設けられている。
【００３６】
図２は図１の流水検知装置１６及び制御弁１７と、試験用の配管系の部分を取り出して示している。
【００３７】
図２において、流水検知装置１６の後段に配置された制御弁１７の２次側と排水管１８ｃの間に設備総合試験用の第１分岐管１８ａを接続している。また流水検知装置１６における２次側と排水管１８ｃの間に流水検知試験用の第２分岐管１８ｂを接続している。
【００３８】
そして第１分岐管１８ａと第２分岐管１８ｂを連結した後の排水管１８ｃには第１試験弁１９ａが設けられ、また流水検知装置１６の２次側からの第２分岐管１８ｂには第２試験弁１９ｂが設けられている。
【００３９】
更に第１試験弁１９ａに続く排水管１８ｃにはオリフィス２１が設けられ、試験時に流す流量をスプリンクラーヘッド６が１個作動した分の水流量に設定している。また流水検知装置１６は、その１次側に仕切制御弁３０を一体に備えている。
【００４０】
このような流水検知装置１６、制御弁１７、第１分岐管１８ａ、第２分岐管１８ｂ、第１試験弁１９ａ、第２試験弁１９ｂ、オリフィス２１及び排水管１８ｃで構成される部分を、本発明にあっては１つのユニットとして一体化した流水検知用アッセンブリィ１００として構成している。
【００４１】
このため流水検知装置１６や制御弁１７を個別に現場で組み付けるのではなく、予め流水検知用アッセンブリィ１００が準備されており、この流水検知用アッセンブリィ１００を１つのユニットとして分岐管の途中に配置することになる。
【００４２】
流水検知用アッセンブリィ１００における設備総合試験は、第１試験弁１９ａを開いて制御弁１７の２次側から第１分岐管１８ａ、オリフィス２１を介して排水管１８ｃに消火用水を流すことで行う。
【００４３】
このようにして消火用水が流れると、流水検知装置１６が作動し、図１に示した遅延機能を持たない第１流水検知スイッチ１６ａが直ちにオンし、これによりスプリンクラー制御盤５が制御弁１７を閉止制御する。制御弁１７の閉止制御が確認できたならば、図１の火災感知器４を試験発報させることで、スプリンクラー制御盤は制御弁１７を開制御することになる。
【００４４】
これに対し、流水検知装置１６に設けている遅延機能を持たない第１流水検知スイッチ１６ａと遅延機能を持った第２流水検知スイッチ１６ｂの動作を確認するための流水検知試験は、第１試験弁１９ａと第２試験弁１９ｂの両方を開くことで行う。
【００４５】
第１試験弁１９ａと第２試験弁１９ｂを開くと、流水検知装置１６の２次側からオリフィス２１を通って排水管１８ｃに消火用水が流れる。このため流水検知装置１６の第１流水検知スイッチ１６ａのオンで制御弁１７が閉止制御されても、流水検知装置１６の２次側から排水管１８ｃに継続して消火用水が流れており、これによって流水検知から所定の遅延時間後に遅延機能付きの第２流水検知スイッチ１６ｂが作動し、その動作を確認することができる。
【００４６】
この設備総合試験及び流水検知試験については、後の説明で更に詳細に明らかにする。なお図２において、流水検知装置１６の１次側には圧力計６８が設けられ、また第１分岐管１８ａにも圧力計６９が設けられている。
【００４７】
図３は、図２の流水検知装置１6の断面図、図４は弁体部分を水平面で切った断面図、図５はスイッチボックスの内部構成図である。
【００４８】
図３，４において、２２は流水検知装置１６の作動弁本体であり、作動弁本体２２内には弁座２３が一体に形成されている。また、作動弁本体２２内には第１の作動軸２４が設けられている。
【００４９】
２５は弁体であり、第１の作動軸２４を支点として一体に回動するように設けられ、弁体２５の一次側と二次側の圧力がバランスしているときは自重により弁座２３に着座して閉弁し、二次側が減圧すると、流水により開弁する。
【００５０】
弁体２５の二次側は接続口２６を介して加圧水を供給する分岐管が接続され、分岐管には図２のようにスプリンクラーヘッド６が接続されている。弁体２５の一次側の作動弁本体２２にはボルト２９により仕切制御弁３０の制御弁本体３０Ａが接続され、制御弁本体３０Ａ内には流路３１を開閉するボール弁３２が収納されている。
【００５１】
ボール弁３２による流路３１の開閉はレバー５２により行われ、レバー５２を水平方向から垂直方向に９０度反時計回り方向に操作すると、ボール弁３２が回転して流路３１を開く。ボール弁３２と作動弁本体２２の内壁及びボール弁３２と制御弁本体３０Ａの内壁の間にはＯリング３３，３４がそれぞれ介装され、また制御弁本体３０Ａと作動弁本体２２の接続部にはシール部材３５が介装されている。
【００５２】
制御弁本体３０Ａの接続口３０Ｂには図示しない給水本管が接続され、給水本管は図示しない消火ポンプに接続されている。また、弁体２５の二次側の作動弁本体２１の接続口３６には排水弁３７が接続され、ハンドル３７Ａの操作により排水を行うことができるようになっている。
【００５３】
３８は第２の作動軸であり、第１の作動軸２４の水平方向であって且つその近傍に設けられている。第２の作動軸３８は図４のように、作動弁本体２２に回動自在に設けられ、その両端部は、作動弁本体２２から外部に突出している。
【００５４】
即ち、第２の作動軸３８の一方の軸端部はスイッチボックス３９内に突出し、他方の軸端部はキャップ６４が装着されている。第２の作動軸３８と作動弁本体２２の間にはパッキン６５が介装され、軸部をシールしている。
【００５５】
第２の作動軸３８の中央部には突起部４０Ａを備えた連動部材４０が固定され、弁体２５の端部２５Ａに当接する。第２の作動軸３８のスイッチボックス３９内に突出している軸端部には作動レバー４１の一端部が固定され、作動レバー４１の他端部側には重り４２が設けられている。作動レバー４１は第２の作動軸３８と一体で回動する。
【００５６】
弁体２５が閉じている状態では、作動レバー４１は重り４２により下がろうとする力に抗して図示の位置にある。弁体２５が開くと端部２５Ａは第１の作動軸２４を支点として時計回り方向に回転するため、重り４２の作用で連動部材４０は端部２５Ａに突起部４０Ａが当接するまで時計回り方向に回転し、第２の作動軸３８も一体で時計回り方向に回転する。
【００５７】
図２のスプリンクラーヘッド６が作動した場合は、弁体２５が開度θに開き、作動レバー４１は位置Ａから角度α（≒θ）の位置Ｂに回転する。この作動レバー４１の回動により遅延機能を持たない第１流水検知スイッチ１６Ａがオンとなり、流水検知信号Ｅａを出力する。
【００５８】
遅延機能付きの第２流水検知スイッチ１６Ｂは、図５のように、調整部材４３Ｂ、ダンパー５３、スイッチレバー５８Ｂ及びリミットスイッチ５９Ｂで構成される。
【００５９】
作動レバー４１には調整部材４３Ａ，４３Ｂが設けられる。調整部材４３Ａ，４３Ｂの上部にはリミットスイッチ５９Ａ，５９Ｂのスイッチレバー５８Ａ，５８Ｂの先端側が当接しており、作動レバー４１が回動してスイッチレバー５８Ａ，５８Ｂの当接点が所定ストロークだけ下降すると、リミットスイッチ５９Ａ，５９Ｂがオンする。
【００６０】
ここで調整部材４３Ａ，４３Ｂは、一対の長穴にビスを通して作動レバー４１に取り付けており、上下方向での取付位置がある範囲で調整できる。このように作動レバー４１に調整部材４３Ａ，４３Ｂを取り付け、リミットスイッチ５９Ａ，５９Ｂのスイッチレバー５８Ａ，５８Ｂを初期位置でスイッチオフ状態に保持する。
【００６１】
この状態でスプリンクラーヘッド６の作動による弁体２５の開放で作動レバー４１が角度αの位置Ｂに回動すると、調整部材４３Ａは初期位置Ｂ１からスイッチオンに必要なストロークＬだけ下降した位置Ａ２に下がり、同時にスイッチレバー５８Ａもリミットスイッチ５９Ａの下部に設けたスプリング６７の力により下がることでリミットスイッチ５９Ａのスイッチノブ６１が飛び出してオンし、第１流水検知スイッチ１６ａとしての流水検知信号Ｅａを出力する。
【００６２】
またスプリンクラーヘッド６の作動による弁体２５の開放で作動レバー４１が角度αの位置Ｂに回動すると、このときには調整部材４３Ｂが初期位置Ｂ１からスイッチオンに必要なストロークＬを越えて下降した位置Ｂ２に下がる。するとスイッチレバー５８Ｂが開放されてリミットスイッチ５９Ｂの下部に設けたスプリング６７の力で下がっていく。
【００６３】
ダンパー５３は、スイッチボックス３９内部の上側に設けられた遅延装置６６の一部を構成し、作動レバー４１が作動したとき所定の遅延時間後に図５の第２流水検知スイッチ１６ｂをオンさせ、遅延した第２流水検知信号を出力させる。
【００６４】
ダンパー５３のピストン軸５５の頭部５６とナット５７との間には、スイッチレバー５８Ｂの一端が固定され、スイッチレバー５８Ｂの他端は取付部６０を介してリミットスイッチ５９Ｂに軸支されている。作動レバー４１が初期位置Ｂ１にあるときは、調整部材４３Ｂはスイッチレバー５８Ｂの下面に当接し、スイッチレバー５８Ｂを上側に押し上げている。
【００６５】
作動レバー４１が初期位置Ｂ１から位置Ｂ２まで角度αだけ回転して下がると、調整部材４３Ｂのスイッチレバー５８Ｂの下面への当接が解除され、このことで、スイッチレバー５８Ｂは第２流水検知スイッチ１６ｂの下部に備えてあるスプリング６７の力とダンパー５３Ｂ内のピストン６２の自重により反時計回り方向に回転して下がり、このスイッチレバー５８Ｂの下方への移動によりスイッチノブ６１が押し出され、ストロークＬの位置でリミットスイッチ５９Ｂ内の接点が閉じてオンになる。
【００６６】
この場合、スイッチレバー５８Ｂの一端は、ダンパー５３のピストン軸５５に固定されているので、ダンパー５３の作用により作動レバー４１の作動後、第２流水検知スイッチ１６ｂは所定の遅延時間だけ遅れてオンになる。
【００６７】
このための遅延装置６６は、ダンパー５３、ピストン軸５５、頭部５６、ピストン６２、遅延調整ねじ６３から構成される。
【００６８】
即ち、スイッチレバー５８Ｂはピストン軸５５を介してダンパー５３内に収納されたピストン６２に接続されているので、スイッチレバー５８Ｂの下方への移動は、ダンパー５３内のピストン６２が下方に移動するとき、ダンパー５３内に外部の空気を空気通路を経て吸入することにより、ゆっくりと徐々になされる。この場合、ダンパー５３内に入る空気の量を調整することにより遅延時間を調整することができる。
【００６９】
このため、ダンパー５３の上部には遅延調整ねじ６３が設けられ、遅延時間の調整が必要なときは、この遅延調整ねじ６３により調整する。具体的には、遅延調整ねじ６３をマイナスドライバーを用いて、ダンパー５３に入る空気量即ち空気通路の開度を変え、遅延時間の調整を行う。例えば、遅延調整ねじ６３を左に回すと空気の入る量が増え、遅延時間が短くなり、右に回すと空気の入る量が減り、遅延時間が長くなる。
【００７０】
図６は図２の流水検知用アッセンブリィ１００を設置した図１のスプリンクラー消火設備における設備総合試験のフローチャートである。
【００７１】
まず通常時にあっては、ステップＳ１のように制御弁１７は常時開状態にある。設備総合試験の際には、まずステップＳ２で第１試験弁１９ａを開放し、制御弁１７の２次側から第１分岐管１８ａ、第１試験弁１９ａ、オリフィス２１を通って排水管１８ｃに、オリフィス２１で決まるスプリンクラーヘッド６が１個作動したと同じ水流量の消火用水を流す。
【００７２】
この排水管１８ｃに対する制御弁１７の２次側からの消火用水の流れにより流水検知装置１６の弁が開き、ステップＳ３で遅延機能を持たない第１流水検知スイッチ１６ａがオンし、流水検知信号を図１のスプリンクラー制御盤５に出力する。
【００７３】
このスプリンクラー制御盤５は、このとき火災信号Ｅｆが得られていないことを条件に、ステップＳ４で制御弁１７の閉止制御を行う。この制御弁１７の閉止制御により、第１分岐管１８ａ、第１試験弁１９ａ、オリフィス２１を通って排水管１８ｃに流れていた設備総合試験用の流水は停止する。
【００７４】
なお、制御弁１７の開閉状態は、制御弁本体に設けたのぞき穴から確認できる。本願は流水検知装置１６と制御弁１７が直近に設けられるため、試験者が試験弁の操作を行いながら制御弁１７の開閉制御を目視できる。
【００７５】
次にステップＳ５で火災感知器４を試験のために発報させる。この火災感知器４の発報により、ステップＳ６で火災受信盤１が火災信号Ｅｆを出力し、これを受けてスプリンクラー制御盤５がステップＳ７で一旦閉止制御された制御弁１７を開制御する。
【００７６】
このため、再び制御弁１７の２次側から第１分岐管１８ａ、第１試験弁１９ａ、オリフィス２１を通って排水管１８ｃに消火用水が流れ、ステップＳ８で流水検知装置１６の遅延機能を持たない第１流水検知スイッチ１６ａがオンして、再び流水検知信号Ｅａを出力する。なお、この状態を保つと遅延機能を持つ第２流水検知スイッチ１６ｂが遅延時間後にオンする。しかし、この第２流水検知スイッチ１６ｂがオンしても、すでに感知器回線３が感知器４により発報状態になっており、特に表示は新たにされない。別途流水検知信号をスプリンクラー制御盤等に出力できるようにすれば表示を行うことができる。
【００７７】
このステップＳ８までの操作により設備が正常であることが試験でき、試験終了のためステップＳ９で第１試験弁１９ａを閉じ、更にステップＳ１０で火災受信盤１における火災復旧を行って一連の設備総合試験を終了する。
【００７８】
図７は図２の流水検知用アッセンブリィ１００において流水検知試験を行う場合のフローチャートである。まずステップＳ１のように、定常状態で制御弁１７は常時開状態となっている。流水検知試験のためには、ステップＳ２でまず第１試験弁１９ｂを開放し、次にステップＳ３で第２試験弁１９ａを開放する。
【００７９】
このため制御弁１７の２次側から第１分岐管１８ａ、第１試験弁１９ａを通って排水管１８ｃに消火用水が流れ、同時に流水検知装置１６の２次側から第２試験弁１８ｂを通って排水管１８ｃに消火用水が流れる。
【００８０】
このように排水管１８ｃに対する消火用水の流れによって流水検知装置１６の弁が開いて、ステップＳ４で遅延機能を持たない第１流水検知スイッチ１６ａがオンして流水検知信号Ｅａをスプリンクラー制御盤５に出力する。
【００８１】
このためステップＳ５でスプリンクラー制御盤５は火災信号Ｅｆを受信していないため制御弁１７を閉止状態するが、この制御弁の作動により第１流水検知スイッチのオンを判別できる。制御弁１７が閉止状態となっても第1試験弁１９ｂ、第２試験弁１９ａ、オリフィス２１を介して排水が継続し、流水検知装置１６は継続して作動している。続いて流水検知から一定の遅延時間が経過すると、遅延機能付きの第２流水検知スイッチ１６ｂがオンし、ステップＳ６で流水検知信号を出力する。
【００８２】
この第２流水検知スイッチ１６ｂのオンは、感知器回線３を低インピーダンスとし、火災感知器４が作動したと同じ状態となり、したがって流水検知信号は火災受信盤１に対し火災検知信号として出力されることになる。このためステップＳ７で、火災受信盤１で火災表示が行われる。この火災表示により、第２流水検知スイッチ１６ｂのオンを確認することができる。
【００８３】
また火災表示が行われた火災受信盤１からは火災信号Ｅｆがスプリンクラー制御盤５に出力されるため、ステップＳ８でスプリンクラー制御盤５は制御弁１７の開制御を行う。この制御弁１７の開制御も流水検知試験のチェック対象とはなっていないことから、破線のブロックとしている。
【００８４】
このようにして、流水検知装置１６に設けている遅延機能を持たない第１流水検知スイッチ１６ａと遅延機能付きの第２流水検知スイッチ１６ｂの作動確認ができたならば、試験を終わらせるため、ステップＳ９で第２試験弁１９ｂを閉じ、続いてステップＳ１０で第１試験弁１９ａを閉じ、最終的にステップＳ１１で火災受信盤１の火災復旧を行って、一連の流水検知試験を終了する。
【００８５】
図８は本発明のスプリンクラー消火設備に設置される流水検知用アッセンブリィ１００の他の実施形態の説明図である。
【００８６】
図８の流水検知用アッセンブリィ１００にあっては、制御弁１７の２次側と排水水管１８ｃを繋ぐ第１分岐管に第１試験弁２０ａを設け、流水検知装置１６の２次側と排水管１８ｃを結ぶ第２分岐管１８ｂに第２試験弁２０ｂを設け、更に排水管１８ｃに設けたオリフィス２１の１次側に第３試験弁２０ｃを設けたことを特徴とする。即ち図８の実施形態は、図２の第１分岐管１８ａに試験弁を新たに追加したことを特徴とする。
【００８７】
この図８の流水検知用アッセンブリィ１００にあっては、設備総合試験の際には第１試験弁２０ａと第３試験弁２０ｃを開き、制御弁１７の２次側から第１分岐管１８ａを通って排水管１８ｃに消火用水を流し、流水検知装置１６の弁を開いて、第１流水検知装置１６のオンによる制御弁１７の閉止制御、その後の火災感知器からの発報による制御弁１７の開制御を行う。
【００８８】
一方、流水検知試験の際には第２試験弁２０ｂと第３試験弁２０ｃを開いて行う。この場合には流水検知装置１６の２次側から排水管１８ｃに消火用水が流れ、制御弁１７側での消火用水の流れはない。
【００８９】
このため、流水検知装置１６に消火用水が流れることによる弁の開により、遅延機能を持たない第１流水検知スイッチ１６ａがオンし、このとき制御弁１７が閉止制御されるが、もともと制御弁１７には消火用水が流れていない。閉止制御を行っても継続して流水検知装置１６に消火用水が流れ、排水管１８ｃから排水されるため、一定の遅延時間後に第２流水検知スイッチ１６ｂがオンして火災表示が行われる。
【００９０】
これによって遅延機能を持たない第１流水検知スイッチ１６ａと遅延機能付きの第２流水検知スイッチ１６ｂの作動を確認する流水検知試験を行うことができる。
【００９１】
図９は本発明のスプリンクラー消火設備で使用される流水検知用アッセンブリィ１００の他の実施形態であり、この実施形態にあっては試験用に三方切替弁７０を用いたことを特徴とする。
【００９２】
三方切替弁７０は、第１切替ポート７０ａ、第２切替ポート７０ｂ及び共通ポート７０ｃを持っており、レバー操作により共通ポート７０ｃに対し第１切替ポート７０ａと第２切替ポート７０ｂを選択的に連通させることができる。
【００９３】
三方切替弁７０の第１切替ポート７０ａには制御弁１７の２次側からの第１分岐管１８ａが接続され、第２切替ポート７０ｂには流水検知装置１６の２次側からの第２分岐管１８ｂが接続される。三方切替弁７０の共通ポート７０ｃは、試験弁１９、更にオリフィス２１を介して排水管１８ｃに接続される。
【００９４】
この図９の流水検知用アッセンブリィ１００における設備総合試験及び流水検知試験は次のようになる。設備総合試験の際には、図１０(Ａ)のように三方切替弁７０を第１切替ポート７０ａから共通ポート７０ｃに連通するように切り替える。また三方切替弁７０の切替えに続いて試験弁１９を開く。
【００９５】
このため制御弁１７の２次側から第１分岐管１８ａ、三方切替弁７０、試験弁１９、オリフィス２１を通って排水管１８ｃに消火用水が流れ、この消火用水の流れにより流水検知装置１６の弁が開いて、遅延機能を持たない第１流水検知スイッチ１６ａがオンし、これによって制御弁１７の閉止制御が行われる。そして、火災感知器４の試験のための発報を受けて、制御弁１７の開制御が行われる。
【００９６】
また流水検知試験は、三方切替弁７０を図１０（Ｂ）のように第２切替ポート７０ｂを共通ポート７０ｃに連通する位置に切り替え、続いて試験弁１９を開く。
【００９７】
これによって流水検知装置１６の２次側から三方切替弁７０、試験弁１９、オリフィス２１を通って排水管１８ｃに消火用水が流れ、制御弁１７が閉止しても流水検知装置１６には継続して消火用水が流れ続けるため、遅延機能を持たない第１流水検知スイッチ１６ａのオンによる作動確認及び一定の遅延時間後の遅延機能付きの第２流水検知スイッチ１６ｂのオンによる作動確認ができる。
【００９８】
なお、上記の実施形態は流水検知装置１６と制御弁１７に試験弁系統を一体化した流水検知用アッセンブリィ１００を使用する場合を例にとるものであったが、一体型のアッセンブリィとせずに個別に現場施工で実現しても良いことはもちろんである。
【００９９】
また上記の実施形態においては集合住宅のスプリンクラー消火設備を例にとるものであるが、特に集合住宅に限定されず、一般ビルなどの消火設備にも本発明を適用することができる。
【０１００】
更に上記の実施形態における第２分岐管１８ｂについては、流水検知装置１６に直接接続しているが、これに限定されず、流水検知装置１６と制御弁１７の間の配管から分岐接続するようにしても良い。
【０１０１】
【発明の効果】
以上説明してきたように本発明によれば、試験弁ユニットに設けている１または複数の試験弁を操作するだけで、設備総合試験と流水検知試験を簡単に行うことができ、特に流水検知試験については、一旦閉止制御された試験弁を開くための火災感知器の発報が不要となり、試験弁の操作だけで流水検知装置に設けている遅延機能を持たない第１流水検知スイッチと遅延機能付きの第２流水検知スイッチの作動を確認する試験を簡単に行うことができる。
【０１０２】
また本発明は流水検知装置、制御弁、１または複数の試験弁を含む試験配管系を流水検知用アッセンブリィとして一体化していることで、設備総合試験及び流水検知試験のための試験弁が流水検知装置や制御弁の近くに配置され、試験弁の操作と制御弁の動作を同時に確認することができ、これによって、１人であっても容易に試験を行うことができ、状況確認が素早くできることで試験がより行いやすくなる。
【０１０３】
更に流水検知用アッセンブリィとして制御弁、流水検知装置及び試験弁を含む関連機器を一体化して配置できることで、非常に設備がコンパクトになり、設置スペースの狭い場所であっても容易に設置することができる。
【図面の簡単な説明】
【図１】本発明が適用されるスプリンクラー消火設備の説明図
【図２】図１の流水検知装置、制御弁及び試験弁を一体化した流水検知用アッセンブリィの説明図
【図３】本発明による流水検知装置の断面図
【図４】図３の流水検知装置を平面から見た断面図
【図５】図３のスイッチボックスの説明図
【図６】図２の流水検知用アッセンブリィを使用した設備総合試験のフローチャート
【図７】図２の流水検知用アッセンブリィを使用した流水検知装置作動試験のフローチャート
【図８】本発明の流水検知用アッセンブリィの他の実施形態の説明図
【図９】三方切替弁を用いた本発明の流水検知用アッセンブリィの他の実施形態の説明図
【図１０】各試験における三方切替弁の連通状態を示す図
【符号の説明】
１：火災受信盤（住戸受信機）
２：中継器
３：感知器回線
４：火災感知器
５：スプリンクラー制御盤
５ａ：制御回路
６：スプリンクラーヘッド
７：分岐管
８：給水本管
９：消火ポンプ
１０：貯水槽
１１：圧力タンク
１１ａ：圧力スイッチ
１２：高架水槽
１３：ポンプ制御盤
１４：モータ
１５：住棟受信盤
１６：流水検知装置
１６ａ：第１流水検知スイッチ（第１スイッチ）
１６ｂ：第２流水検知スイッチ（第２スイッチ）
１７：制御弁
１８ａ：第１分岐管（設備総合試験用）
１８ｂ：第２分岐管（流水検知試験用）
１８ｃ：排水管
１９ａ，２０ａ：第１試験弁
１９ｂ，２０ｂ：第２試験弁
２０ｃ：第３試験弁
１９：高架水槽
２０：圧力スイッチ
２１：オリフィス
２２：作動弁本体
２５：弁体
３０：仕切制御弁
５９Ａ，５９Ｂ：リミットスイッチ
６６：遅延装置
６８，６９：圧力計
７０：三方切替弁
１００：流水検知用アッセンブリィ
【図１】
0003877140.tif 000002
【図２】
0003877140.tif 000003
【図３】
0003877140.tif 000004
【図４】
0003877140.tif 000005
【図５】
0003877140.tif 000006
【図６】
0003877140.tif 000007
【図７】
0003877140.tif 000008
【図８】
0003877140.tif 000009
【図９】
0003877140.tif 000010
【図１０】
0003877140.tif 000011